(57)【要約】【課題】スプリンクラヘッドの動作性が低減してしまうことを抑制するスプリンクラ消火装置を提供することを目的としている。【解決手段】上天井と下天井との間に設置された配管と、配管に接続され、下天井に設置されたスプリンクラヘッドと、スプリンクラヘッドを上天井側に移動させる移動機構部と、スプリンクラヘッドの上天井への移動を規制するロック部と、を備えたものである。【選択図】図２
2015188619.tif 000002
【特許請求の範囲】
【請求項１】
上天井と下天井との間に設置された配管と、
前記配管に接続され、前記下天井に設置されたスプリンクラヘッドと、
前記スプリンクラヘッドを前記上天井側に移動させる移動機構部と、
前記スプリンクラヘッドの前記上天井への移動を規制するロック部と、
を備えた
ことを特徴とするスプリンクラ消火装置。
【請求項２】
前記下天井に接続され、前記ロック部による前記スプリンクラヘッドの移動の規制を解放する解放部をさらに備えた
ことを特徴とする請求項１に記載のスプリンクラ消火装置。
【請求項３】
前記下天井側と前記上天井側との間に延びるガイド棒と、
一端側が前記スプリンクラヘッド側に接続され、他端側が前記ガイド棒に摺動自在に設けられた摺動部とをさらに備え、
前記移動機構部は、
前記上天井に設けられ、前記スプリンクラヘッドが前記上天井側に移動するように付勢する
ことを特徴とする請求項１又は２に記載のスプリンクラ消火装置。
【請求項４】
一端側が前記スプリンクラヘッドに接続され、他端側が前記配管に接続された継手配管と、
前記継手配管の上側の前記上天井に固定され、前記継手配管を保持する定着部とをさらに備えた
ことを特徴とする請求項１〜３のいずれか一項に記載のスプリンクラ消火装置。
【発明の詳細な説明】
【技術分野】
【０００１】
本発明は、スプリンクラ消火装置に関するものである。
【背景技術】
【０００２】
スプリンクラ消火装置のスプリンクラヘッドは、たとえば、その設置場所の天井構造がいわゆる化粧天井（吊り天井）を有する場合には、化粧天井の高さ位置にスプリンクラヘッドが設置される（特許文献１参照）。具体的には、化粧天井には開口部が形成され、スプリンクラヘッドは、開口部の形成位置に配置されて、感熱部が室内側に臨んでいる。特許文献１に記載の技術では、スプリンクラヘッドに接続された継手配管が、化粧天井の上側に配置された水平方向に延びる固定材に固定されている。なお、固定材は、化粧天井を支持する支持体に固定されている。また、この支持体は、化粧天井の上側の上天井に接続された吊りボルトによって支持されている。
【０００３】
特許文献１に記載の技術では、スプリンクラヘッドをこのように設置することで、火災発生時に化粧天井面に沿って流動する熱により、スプリンクラヘッドが動作し、消火水の放水が行われる。
【先行技術文献】
【特許文献】
【０００４】
【特許文献１】特開平０９−１１７５２６号公報（たとえば、図２参照）
【発明の概要】
【発明が解決しようとする課題】
【０００５】
しかしながら、地震などの大きな衝撃により化粧天井が落下してしまう場合がある。また、地震以外にも、火災時の炎により、化粧天井が延焼して破損してしまい、化粧天井が落下してしまう場合もある。ここで、火災による熱は、化粧天井などの構造体に沿って流動する。このため、化粧天井が落下してしまうと、火災の熱は、化粧天井のあった高さ位置からさらに上側に移動し、建物の上天井側に流動しやすくなる。すなわち、特許文献１に記載の技術では、化粧天井が落下した場合には、スプリンクラヘッドが設置されている高さ位置における温度の上昇が遅れ、スプリンクラヘッドの感熱体（たとえば、半田など）が溶けることが遅れてしまい、スプリンクラヘッドの動作が遅くなってしまうという課題がある。
【０００６】
本発明は、以上のような課題を解決するためになされたもので、スプリンクラヘッドの動作性が低減してしまうことを抑制するスプリンクラ消火装置を提供することを目的としている。
【課題を解決するための手段】
【０００７】
本発明に係るスプリンクラ消火装置は、上天井と下天井との間に設置された配管と、配管に接続され、下天井に設置されたスプリンクラヘッドと、スプリンクラヘッドを上天井側に移動させる移動機構部と、スプリンクラヘッドの上天井への移動を規制するロック部と、を備えたものである。
【発明の効果】
【０００８】
本発明に係るスプリンクラ消火装置によれば、上記構成を有しているため、スプリンクラヘッドの動作性が低減してしまうことを抑制することができる。
【図面の簡単な説明】
【０００９】
【図１】本発明の実施の形態１に係るスプリンクラ消火装置の概要構成例図である。
【図２】本発明の実施の形態１に係るスプリンクラ消火装置に設けられたスプリンクラヘッド及び継手配管などの拡大図である。
【図３】本発明の実施の形態１に係るスプリンクラ消火装置に設けられたスプリンクラヘッドの一例である。
【図４】本発明の実施の形態１に係るスプリンクラ消火装置の動作説明図である。
【図５】本発明の実施の形態２に係るスプリンクラ消火装置の概要構成例図である。
【図６】ロック部及び解放部の構成例である。
【図７】本発明の実施の形態２に係るスプリンクラ消火装置の動作説明図である。
【図８】本発明の実施の形態２に係るスプリンクラ消火装置の変形例である。
【図９】本発明の実施の形態３に係るスプリンクラ消火装置の概要構成例図である。
【図１０】本発明の実施の形態４に係るスプリンクラ消火装置の概要構成例図である。
【図１１】本発明の実施の形態４に係るスプリンクラ消火装置の動作説明図である。
【発明を実施するための形態】
【００１０】
以下、本発明の実施の形態を図面に基づいて説明する。
実施の形態１．
図１は、本実施の形態１に係るスプリンクラ消火装置２００の概要構成例図である。図２は、実施の形態１に係るスプリンクラ消火装置２００に設けられたスプリンクラヘッド１及び継手配管２などの拡大図である。図３は、本実施の形態１に係るスプリンクラ消火装置２００に設けられたスプリンクラヘッド１の一例である。なお、図３（ａ）は、監視時におけるスプリンクラヘッド１の縦断面図であり、図３（ｂ）は、火災時におけるスプリンクラヘッド１の縦断面図である。図１を含め、以下の図面では各構成部材の大きさの関係が実際のものとは異なる場合がある。
【００１１】
［構成説明］
スプリンクラ消火装置２００は、上天井Ｓ１及び下天井Ｓ２を有する建物（たとえば、ビルなど）に設置されるものである。ここで、上天井Ｓ１は、下天井Ｓ２の上側に配置されている天井であり、たとえば建物の各階の構造体（躯体）の上面部に対応する部分である。また、下天井Ｓ２は、上天井Ｓ１の下側に配置されている天井であり、たとえば、建物内に配置された化粧天井Ｓ０（吊り天井）と、この吊り天井が取り付けられる天井構造体Ｂとを有している。なお、上天井Ｓ１には、上下方向に延びる吊りボルトＡが取り付けられている。そして、吊りボルトＡは、その下端側が、下天井Ｓ２の天井構造体Ｂに接続され、天井構造体Ｂを支持している。すなわち、下天井Ｓ２は、吊りボルトＡによって吊るされている。
【００１２】
スプリンクラ消火装置２００は、化粧天井Ｓ０に設けられた開口部に設けられたスプリンクラヘッド１と、スプリンクラヘッド１に接続された継手配管２と、継手配管２に接続された配管３と、スプリンクラヘッド１と下天井Ｓ２の化粧天井Ｓ０との間の隙間ＳＰを覆うシーリングプレート４を有している。
また、スプリンクラ消火装置２００は、天井構造体Ｂ上に設置された棒状部材である係止片１０と、係止片１０に取り付けられるロック部１１と、ロック部１１をロックする解放部１８と、一方が継手配管２に接続された摺動部１２とを有している。
さらに、スプリンクラ消火装置２００は、摺動部１２の他方が摺動自在に取り付けられガイド部２０と、上天井Ｓ１に設けられた定着部２１と、継手配管２とともにスプリンクラヘッド１を上側に引き上げる移動機構部２２とを有している。
【００１３】
（スプリンクラヘッド１）
スプリンクラヘッド１は、ヘッド本体１Ａ、フレーム１Ｂ、弁体１Ｃ、感熱分解機構１Ｅなどから構成されている。ヘッド本体１Ａは、中央内部には消火水が放水される放水口１Ａ１が貫設されている。ヘッド本体１Ａの上部には、継手配管２に接続されるねじ部が形成されている。ヘッド本体１Ａの下部にあるフランジ部１Ａ２の内側には雌ねじが形成され、そこに円筒状のフレーム１Ｂが螺着される。なお、フレーム１Ｂの外周面には、シーリングプレート４（図１及び図２参照）が配置される。弁体１Ｃは、放水口１Ａ１の下端を塞いでいる。
【００１４】
感熱分解機構１Ｅは、弁体１Ｃの下方に設けられており、監視時は弁体１Ｃを支持し、火災時には熱により感熱体１Ｅ１が溶融すると、分解されて落下する。感熱分解機構１Ｅが分解されると、放水口１Ａ１を塞いでいた弁体１Ｃが開栓する。感熱分解機構１Ｅは、感熱体１Ｅ１、ボール１Ｅ２、バランサ１Ｅ３、スライダ１Ｅ４及び弁体１Ｃを支えるセットスクリュー１Ｅ５を備えている。感熱体１Ｅ１は半田などであり、バランサ１Ｅ３から圧縮するように力がかかっている。ボール１Ｅ２は、バランサ１Ｅ３とスライダ１Ｅ４とフレーム１Ｂの下端の係止段部１Ｂ１との３点で係止された状態を維持している。ボール１Ｅ２は、内側へ向かう力が働いているが、バランサ１Ｅ３とスライダ１Ｅ４に挟持されているためフレーム１Ｂに係止された状態で保持されている。
【００１５】
（継手配管２）
継手配管２は、配管３の消火水をスプリンクラヘッド１に供給するのに利用される配管である。すなわち、継手配管２は、一端側がスプリンクラヘッド１に接続され、他端側が配管３に接続されているものである。継手配管２は、その上部側に、上天井Ｓ１側に突出する複数の凸部２Ａが形成されている。凸部２Ａは、継手配管２が上側に移動したとき、定着部２１の凹部２１Ａに収まる。これにより、継手配管２が上側に移動したときに、スプリンクラヘッド１から放出される水の勢いなどによって継手配管２の位置がずれにくくなり、スプリンクラヘッド１の散水をより確実に実施することができる。
【００１６】
継手配管２は、スプリンクラ消火装置２００が建物に設置された状態において、水平方向に延び、後述する移動機構部２２のワイヤー２２Ａが取り付けられる配管接続部２Ｂと、配管接続部２Ｂから下側に曲げられた曲げ部２Ｃと、曲げ部２Ｃから下側に延び、スプリンクラヘッド１が接続されるヘッド接続部２Ｄとを有しているものである。
【００１７】
配管接続部２Ｂは、一端側が配管３に接続され、他端側が曲げ部２Ｃに接続され、上部に凸部２Ａが形成されているものである。配管接続部２Ｂは、移動機構部２２のワイヤー２２Ａが接続されているものであり、ワイヤー２２Ａによって上側に付勢されている。曲げ部２Ｃは、一端側が配管接続部２Ｂに接続され、他端側がヘッド接続部２Ｄに接続され、上部に凸部２Ａが形成されているものである。ヘッド接続部２Ｄは、上端側が曲げ部２Ｃに接続され、下端側がスプリンクラヘッド１に接続されているものである。ヘッド接続部１Ｄには、摺動部１２及びロック部１１が接続されている。
【００１８】
（配管３）
配管３は、たとえば下天井Ｓ２と上天井Ｓ１との間に設置され、消火水をスプリンクラヘッド１に供給するための配管である。配管３は、適度な弾性を有している。たとえば、配管３は、継手配管２の上下の移動に伴ってしなるフレキシブル配管などで構成することができる。配管３は、端部が、継手配管２の配管接続部２Ｂに接続されている。
【００１９】
（シーリングプレート４）
シーリングプレート４は、フレーム１Ｂの外周面に設けられ、スプリンクラヘッド１と下天井Ｓ２との間の隙間ＳＰを覆うものである。シーリングプレート４は、たとえば、平面視形状が略リング状のものであり、シーリングプレート４の中央部には、スプリンクラヘッド１を差し込むことができるように開口部（図示省略）が形成されている。シーリングプレート４は、その上面側の周縁部が、下天井Ｓ２の化粧天井Ｓ０の下面側と当接するように設けられている。
【００２０】
（係止片１０）
係止片１０は、天井構造体Ｂ上に設置され、天井構造体Ｂに固定されているものである。係止片１０は、後述するロック部１１の解放部１８が解放する前において、ロック部１１が上側に移動しないようにロック部１１が引っ掛けられているものである。係止片１０は、紙面に垂直な方向であるＹ方向に延びる棒状部材である。係止片１０は、Ｙ方向に垂直な断面が、たとえば矩形状である。係止片１０は、スプリンクラヘッド１を設置する位置に応じて、天井構造体Ｂ上に設置するとよい。なお、本実施の形態１では、係止片１０は、天井構造体Ｂ上に固定されているものとして説明したが、それに限定されるものではない。たとえば、係止片１０の端部が建物の側壁などに接続されて固定されていてもよい。
【００２１】
（ロック部１１）
ロック部１１は、一端側が継手配管２のヘッド接続部２Ｄに接続され、他端側が係止片１０上に設けられているものである。ロック部１１は、スプリンクラヘッド１の上天井Ｓ１への移動を規制するものである。すなわち、ロック部１１は、係止片１０に引っ掛けられて継手配管２の動きをロックし、解放部１８の作用によりロックが解放される回転部１１Ａを有しているものである。そして、ロック部１１は、下天井Ｓ２の化粧天井Ｓ０に接続された解放部１８にロックされている。
【００２２】
回転部１１Ａは、係止片１０の表面に沿うように形成されたものである。この回転部１１Ａは、回転自在に設けられたものであり、解放部１８によって回転しないようにロックされている。回転部１１Ａは、たとえば、ロック部１１が係止片１０に取り付けられている状態において、上面が係止片１０の下面と当接しているものである。回転部１１Ａは、継手配管２及びスプリンクラヘッド１が上側に移動しないように係止片１０に引っ掛かる部分である。すなわち、継手配管２は、移動機構部２２によって上側に引っ張られているが、それによって継手配管２が上側に移動しないようにロック部１１の回転部１１Ａが係止片１０に引っ掛かっている。回転部１１Ａは、回転自在の軸の部分を、たとえばヒンジなどで構成することができる。
【００２３】
（解放部１８）
解放部１８は、上端側が係止片１０に取り付けられ、下端側が下天井Ｓ２の化粧天井Ｓ０に接続されて固定されているものである。解放部１８は、化粧天井Ｓ０が落下する前において、回転部１１Ａを水平面と平行な状態、すなわち係止片１０に引っ掛かる状態にしておくのに利用されるものである。すなわち、解放部１８の上端側は、たとえばくぎ状部材などで構成され、くぎの先端側が係止片１０に取り付けられ、くぎの頭部が回転部１１Ａの下面と当接している。このため、回転部１１Ａが、回転を制限され、水平面と平行な状態となり、係止片１０に引っ掛かる。なお、化粧天井Ｓ０が落下すると、解放部１８が下側に引っ張られる。解放部１８が下側に引っ張られると、解放部１８の上端側が係止片１０から抜ける。
【００２４】
（摺動部１２及びガイド部２０）
摺動部１２は、一端側が、リング状であり継手配管２のヘッド接続部２Ｄが挿入されるとともに、ヘッド接続部２Ｄに接続されているものである。また、摺動部１２は、他端側がガイド部２０に摺動自在に設けられているものである。摺動部１２の他端側は、たとえば、中央部にガイド部２０が挿入されるリング形状で構成することができる。ガイド部２０は、棒状部材であって上下方向であるＺ方向に平行に配置されているものである。ガイド部２０は、下端側が天井構造体Ｂに接続され、上端側が上天井Ｓ１に接続されているものである。スプリンクラ消火装置２００は、摺動部１２及びガイド部２０が設けられているため、化粧天井Ｓ０が落下して継手配管２が上昇する際に、継手配管２の上昇方向を規制することができ、より確実に建物の所定の場所に散水が可能となる。
【００２５】
（定着部２１）
定着部２１は、上天井Ｓ１に設けられているものである。定着部２１は、継手配管を保持するものであり、凸部２Ａが収まる凹部２１Ａが形成されているものである。すなわち、継手配管２が上天井Ｓ１側に上昇すると、継手配管２の凸部２Ａが定着部２１の凹部２１Ａに収まった状態で、スプリンクラヘッド１による散水が実施される。このため、スプリンクラヘッド１の散水による圧力でスプリンクラヘッド１の姿勢が変わってしまうことを抑制することができ、より確実に建物の所定の場所に散水が可能となる。なお、凸部２Ａ及び凹部２１Ａは、凸部２Ａが凹部２１Ａに密着するように嵌りこむ形状となっていなくてもよい。すなわち、凸部２Ａ及び凹部２１Ａとの間には、隙間を形成して余裕を持たせてもよい。
【００２６】
（移動機構部２２）
移動機構部２２は、継手配管２を上側に付勢するのに利用されるものである。移動機構部２２は、一端側が継手配管２に接続されたワイヤー２２Ａと、ワイヤー２２Ａが配置された滑車部２２Ｂと、ワイヤー２２Ａを引っ張る引張部２２Ｃとを有しているものである。ワイヤー２２Ａは、一端側が継手配管２に接続され、他端側が引張部２２Ｃに引っ張られているものである。ワイヤー２２Ａは、滑車部２２Ｂによって、上下方向であるＺ方向から水平方向であるＸ方向に延びているように設けられている。滑車部２２Ｂは、上天井Ｓ１に固定されているものであり、たとえば、定滑車などで構成することができる。引張部２２Ｃは、係止片１０にロック部１１で引っ掛かっている継手配管２を、ワイヤー２２Ａによって上側に引っ張ることで付勢しているものである。
【００２７】
［動作説明］
図４は、本発明の実施の形態１に係るスプリンクラ消火装置２００の動作説明図である。図４を参照して火災、地震などが発生し、化粧天井Ｓ０が落下した場合におけるスプリンクラ消火装置２００の動作について説明する。
火災、地震などが発生し、化粧天井Ｓ０が落下すると、化粧天井Ｓ０に固定された解放部１８が下側に引っ張られ、解放部１８の上端側が係止片１０から外れる。そうすると、解放部１８によって回転部１１Ａのロックが解除され、回転部１１Ａが回転して係止片１０から外れる。継手配管２は移動機構部２２によって上側に付勢されているため、回転部１１Ａのロックが解除されると上側に移動する。なお、継手配管２は、摺動部１２及びガイド部２０の作用により、Ｘ方向、Ｙ方向にずれることが防止され、Ｚ方向に平行に上側に移動する。継手配管２は、上側に移動すると凸部２Ａが定着部２１の凹部２１Ａに収まる。このため、この位置でスプリンクラヘッド１が作動しても、スプリンクラヘッド１の散水の圧力でスプリンクラヘッド１がぐらついてしまうことが抑制される。
【００２８】
［本実施の形態１に係るスプリンクラ消火装置２００の有する効果］
本実施の形態１に係るスプリンクラ消火装置２００は、吊り天井である化粧天井Ｓ０が落下した場合には、スプリンクラヘッド１が上側に移動するようにスプリンクラヘッド１のロックを解除する解放部１８を有している。このため、火災の熱が化粧天井Ｓ０側から上天井Ｓ１側に流動したとしても、スプリンクラヘッド１の感熱体１Ｅ１の溶融の遅れが抑制され、スプリンクラヘッド１の動作が遅くなってしまうことが抑制される。すなわち、本実施の形態１に係るスプリンクラ消火装置２００の動作性の低減が抑制されている。
【００２９】
本実施の形態１に係るスプリンクラ消火装置２００は、吊り天井である化粧天井Ｓ０が落下した場合には、スプリンクラヘッド１が上側に移動して逃げる。このため、地震などの大きな衝撃により下天井Ｓ２が大きく振動したり、化粧天井Ｓ０が落下した際に、スプリンクラヘッド１が損傷し、スプリンクラヘッド１が正常に動作しなくなることを防止することをできる。
【００３０】
本実施の形態１に係るスプリンクラ消火装置２００は、継手配管２が凸部２Ａを有し、定着部２１が凹部２１Ａを有している。このため、スプリンクラヘッド１の散水の圧力でスプリンクラヘッド１がぐらついてしまうことが抑制される。
【００３１】
本実施の形態１では、上下方向に延びるガイド部２０を有するものとして説明したが、それに限定されるものではない。たとえば、ガイド部２０の代わりに吊りボルトＡを用いてもよい。これにより、ガイド部２０を設ける際の施行時における作業負担及び施行コストを抑制することができるとともに、ガイド部２０の分だけ製造コストを抑制することができる。
【００３２】
本実施の形態１では、継手配管２に凸部２Ａが形成され、定着部２１に凹部２１Ａが形成されている場合を例に説明したが、それに限定されるものではない。たとえば、継手配管２に凹部が形成され、定着部２１に凸部が形成された態様であっても同様の効果を得ることができる。
【００３３】
本実施の形態１では、感熱体１Ｅ１が半田などで構成されるスプリンクラヘッド１を有する態様について説明したが、それに限定されるものではない。たとえば、スプリンクラヘッド１は、感熱体１Ｅ１が、内部にアルコールなどの液体が封入され、予め設定された温度になると液体が膨張して破裂し、割れるように構成されたグラスバルブで構成されたタイプのものを用いることもできる。
【００３４】
本実施の形態１では、天井構造体Ｂとは別体の係止片１０を設ける場合について説明したがそれに限定されるものではない。たとえば、係止片１０の代わりに天井構造体Ｂにロック部１１を固定する態様であってもよい。
【００３５】
実施の形態２．
図５は、本実施の形態２に係るスプリンクラ消火装置２０２の概要構成例図である。図６は、ロック部２１１及び解放部２１８の構成例である。本実施の形態２は、実施の形態１と共通する構成については同一符号を付して説明を省略し、相違点について中心に説明する。実施の形態２では、実施の形態１と異なり、ロック部２１１が天井構造体Ｂに取り付けられているのではなく、下天井Ｓ２の化粧天井Ｓ０に取り付けられている点で異なっている。また、実施の形態２では、天井構造体Ｂに係止片１０を設けない。
【００３６】
ロック部２１１は、図６に示すように、摺動部１２に引っ掛けられるものである。解放部２１８は、下天井Ｓ２の化粧天井Ｓ０に固定されているものである。解放部２１８は、一端側から下側に延び、さらに下天井Ｓ２の化粧天井Ｓ０に平行に延びる形状を有しているものである。すなわち、解放部２１８は、Ｚ方向に平行に延び、その下端側がＸ方向に平行に延びている。解放部２１８は、一端側がロック部２１１に接続されており、下天井Ｓ２の化粧天井Ｓ０に平行に延びる部分が下天井Ｓ２の化粧天井Ｓ０に固定されているものである。すなわち、ロック部２１１と解放部２１８とは同体である。なお、解放部２１８と下天井Ｓ２の化粧天井Ｓ０との接続方法は、特に、限定されるものではなく、たとえば、ネジ、ボルトなどを用いることができる。
【００３７】
ロック部２１１は、解放部２１８の上端側に接続され、Ｙ方向に平行に延びるように形成されているものである。ロック部２１１は、摺動部１２に引っ掛けられている。継手配管２は、ワイヤー２２Ａを介して上側に引っ張られているが、摺動部１２がロック部２１１によって押さえつけられているため、継手配管２が上側に移動することが防止されている。
【００３８】
図７は、本実施の形態２に係るスプリンクラ消火装置２０２の動作説明図である。図７に示すように、火災、地震などが発生し、下天井Ｓ２の化粧天井Ｓ０が落下すると、化粧天井Ｓ０に固定されたロック部２１１も化粧天井Ｓ０とともに落下する。ロック部２１１の落下により、ロックが解除される。すなわち、ロック部２１１が摺動部１２から外れる。継手配管２は、移動機構部２２によって上側に付勢されているが、ロック部２１１のロックが解除されると、ロック部２１１の引っ掛かりがなくなったため、上側に移動する。
【００３９】
［本実施の形態２に係るスプリンクラ消火装置２０２の有する効果］
本実施の形態２に係るスプリンクラ消火装置２０２は、実施の形態１に係るスプリンクラ消火装置２００と同様の効果を有する。
【００４０】
［変形例］
図８は、本実施の形態２に係るスプリンクラ消火装置２０２の変形例である。図８に示すように、スプリンクラ消火装置２０２は、摺動部１２及びガイド部２０を複数有していてもよい。たとえば、Ｘ方向及びＹ方向に平行な面でガイド部２０を断面視したとき、ガイド部２０は三角形の頂点の位置に配置され、配管接続部２Ｂは、ガイド部２０により形成される三角形の中に配置されているものであってもよい。このように、複数の摺動部１２及びガイド部２０を設けることで、より確実に継手配管２の移動方向を規制することができる。
【００４１】
実施の形態３．
図９は、本実施の形態３に係るスプリンクラ消火装置２０３の概要構成例図である。本実施の形態３は、実施の形態１、２と共通する構成については同一符号を付して説明を省略し、相違点について中心に説明する。実施の形態３では、実施の形態１、２と異なり、ロック部３１１が移動機構部３２２に直接作用している。実施の形態３では、移動機構部３２２の引張部３２２Ｃが、たとえばゼンマイ式となっている。
【００４２】
ロック部３１１は、図９に示すように、引張部３２２Ｃに取り付けられて引張部３２２Ｃの駆動をロックしているものである。ロック部３１１は、ワイヤーである解放部３１８に接続されているものである。解放部３１８は、上端側がロック部３１１に接続され、下端側が化粧天井Ｓ０に接続されている。ロック部３１１は、たとえば、解放部３１８を介して下側に引っ張られると、引張部３２２Ｃのゼンマイを駆動する状態に切り替える機構を有するものである。すなわち、実施の形態３において、移動機構部３２２の引張部３２２Ｃは、スプリンクラヘッド１を上側に移動させるが、スプリンクラヘッド１の監視時において継手配管２を上側に付勢しておらず、ロック部３１１のロックが解除されると継手配管２を引き上げるものである。解放部３１８は、下端側が化粧天井Ｓ０に接続され、上端側がロック部３１１に接続されたワイヤーである。
【００４３】
火災、地震などが発生し、化粧天井Ｓ０が落下すると、化粧天井Ｓ０に固定された解放部３１８が化粧天井Ｓ０とともに落下する。すなわち、解放部３１８の落下により、ロック部３１１による移動機構部３２２のロックが解除される。これにより、移動機構部３２２の引張部３２２Ｃのゼンマイが駆動する。継手配管２は、引張部３２２Ｃのゼンマイにより引き上げられる。
【００４４】
なお、本実施の形態３では、移動機構部３２２の引張部３２２Ｃが、監視時において継手配管２を上側に付勢していないものとして説明したが、それに限定されるものではなく、上側に付勢しているものであってもよい。これにより、継手配管２及びスプリンクラヘッド１をすみやかに上側に逃がすことができる。
【００４５】
［本実施の形態３に係るスプリンクラ消火装置２０３の有する効果］
本実施の形態３に係るスプリンクラ消火装置２０３は、実施の形態１に係るスプリンクラ消火装置２００と同様の効果を有する。
【００４６】
実施の形態４．
図１０は、本実施の形態４に係るスプリンクラ消火装置２０４の概要構成例図である。図１１は、本実施の形態４に係るスプリンクラ消火装置２０４の動作説明図である。本実施の形態４は、実施の形態１〜３と共通する構成については同一符号を付して説明を省略し、相違点について中心に説明する。実施の形態４では、実施の形態１のワイヤー２２Ａで継手配管２を引き上げる移動機構部２２ではなく、バネの力を利用して回動する移動機構部４２２を有している点で異なっている。
【００４７】
移動機構部４２２は、バネが設けられた回転自在の軸部４２２Ａと、一端側が軸部４２２Ａに接続され、他端側が継手配管２に接続された回動部４２２Ｂと、軸部４２２Ａを上天井Ｓ１に吊り下げるのに利用される吊り下げ部４２２Ｃとを有しているものである。
【００４８】
軸部４２２Ａは、バネが設けられ、そのバネの力によって回動部４２２Ｂを上側に付勢するものである。軸部４２２Ａは、吊り下げ部４２２Ｃによって化粧天井Ｓ０の上側に吊り下げられている。回動部４２２Ｂは、軸部４２２Ａの作用により継手配管２を上側に付勢しているものである。回動部４２２Ｂの他端側には、継手配管２が接続されている。回動部４２２Ｂの他端側の描く軌跡は、円弧である。このため、継手配管２も、円弧の軌跡に沿って上昇することになる。このため、継手配管２がＺ方向に平行に上昇する実施の形態１〜３とは異なり、継手配管２の凸部２Ａが、定着部２１の凹部２１Ａに収まりにくい場合がある。そこで、実施の形態４では、凸部２Ａの大きさを小さくしたり、凹部２１Ａの大きさを大きくしたりするとよい。
【００４９】
［本実施の形態４に係るスプリンクラ消火装置２０４の有する効果］
本実施の形態４に係るスプリンクラ消火装置２０４は、実施の形態１に係るスプリンクラ消火装置２００と同様の効果を有する。
【符号の説明】
【００５０】
１  スプリンクラヘッド、１Ａ  ヘッド本体、１Ａ１  放水口、１Ａ２  フランジ部、１Ｂ  フレーム、１Ｂ１  係止段部、１Ｃ  弁体、１Ｄ  ヘッド接続部、１Ｅ  感熱分解機構、１Ｅ１  感熱体、１Ｅ２  ボール、１Ｅ３  バランサ、１Ｅ４  スライダ、１Ｅ５  セットスクリュー、２  継手配管、２Ａ  凸部、２Ｂ  配管接続部、２Ｃ  曲げ部、２Ｄ  ヘッド接続部、３  配管、４  シーリングプレート、１０  係止片、１１  ロック部、１１Ａ  回転部、１２  摺動部、１８  解放部、２０  ガイド部、２１  定着部、２１Ａ  凹部、２２  移動機構部、２２Ａ  ワイヤー、２２Ｂ  滑車部、２２Ｃ  引張部、２００  スプリンクラ消火装置、２０２  スプリンクラ消火装置、２０３  スプリンクラ消火装置、２０４  スプリンクラ消火装置、２１１  ロック部、２１８  解放部、３１１  ロック部、３１８  解放部、３２２  移動機構部、３２２Ｃ  引張部、４２２  移動機構部、４２２Ａ  軸部、４２２Ｂ  回動部、４２２Ｃ  吊り下げ部、Ａ  吊りボルト、Ｂ  天井構造体、Ｓ０  化粧天井、Ｓ１  上天井、Ｓ２  下天井、ＳＰ  隙間。
【図１】
2015188619.tif 000003
【図２】
2015188619.tif 000004
【図３】
2015188619.tif 000005
【図４】
2015188619.tif 000006
【図５】
2015188619.tif 000007
【図６】
2015188619.tif 000008
【図７】
2015188619.tif 000009
【図８】
2015188619.tif 000010
【図９】
2015188619.tif 000011
【図１０】
2015188619.tif 000012
【図１１】
2015188619.tif 000013